(57)【要約】      （修正有）【課題】肌の内部の細胞に対して大きな振動を与えることがなく、また、弾性振動板が折曲したり破損したような場合に、該弾性振動板のみを交換することで長期の使用が可能な超音波美顔器を提供する。【解決手段】圧電素子７３の複数個を電極板を介して重ね合わせ、該圧電素子の前後に前打杆７１と後打杆７２を配置すると共に、該前後打杆を前記圧電素子を介してネジ止めして挟持固定し、前記前打杆をケースに対して弾性部材を介して取付けてケースの軸長方向に前後打杆を振動させるようにし、また、前記前打杆に振動板８を取付けた超音波美顔器である。超音波美顔器において交換を必要とする振動板が折れ曲がったり折損した場合には、キャップ６を前ケース２から外してネジ７１ｃを外すことで新規な振動板と交換することができる。【選択図】図４
2006238933.tif 000002
【特許請求の範囲】
【請求項１】
交流電圧を印加することで圧電素子が振動して振動板を振動させて肌の古い角質や毛孔内の角栓を除去する超音波美顔器であって、
前記圧電素子は複数個が電極板を介して重ね合わされ、該圧電素子の前後に前打杆と後打杆を配置すると共に、該前後打杆を前記圧電素子を介してネジ止めして挟持固定し、前記前打杆をケースに対して弾性部材を介して取付けてケースの軸長方向に前後打杆を振動させるようにし、また、前記前打杆に振動板を取付けたことを特徴とする超音波美顔器。
【請求項２】
前記振動板は前記前打杆に対して着脱自在に取付けられていることを特徴とする請求項１記載の超音波美顔器。
【請求項３】
前記振動板をチタンで形成したことを特徴とする請求項１記載の超音波美顔器。
【発明の詳細な説明】
【技術分野】
【０００１】
本発明は、美容院やエステティック等において被施術者の皮膚表面、特に、顔に付着している古くなって剥がれかかった角質の除去と、毛孔に詰まった角栓を除去するための超音波美顔器に関する。
【背景技術】
【０００２】
人間の皮膚は、最外側に角質が存在し、この角質は１４日間で死んだ細胞となり、この死んだ細胞は徐々に押し上げられ鱗状に並び角質層を形成し、１４日間で自然に剥がれ落ちるという２８日間の新陳代謝の周期で行なわれているが、年齢を重ねること、紫外線等による酸化等の影響を受けて前記新陳代謝が遅れ、古くなった角質細胞が蓄積されてキメの乱れや肌色のくすみの原因となっていた。また、毛孔に詰まった角栓によって、肌がダラついたり、角栓の先端部の酸化した黒ずんでいる部分により、肌が黒い点が現れ美観を損なっていた。
【０００３】
そこで、前記した古くなった角質を除去してキメの細かい肌にし、肌色を明るく（白く）するため、また、角栓を除去してザラツキを無くすために、超音波を利用して角質の除去と角栓の除去を行なう超音波美顔器が開発されている。その一例として、特開平６−３２８０４２号公報の発明がある。
【０００４】
この発明は、２枚のキール板の間に弾性振動板を挟持し、前記一対のキール板の両面に超音波振動子を張り付けたもので、かつ、前記弾性振動板を上下方向に振動させるものである。従って、これを利用して前記した角質の除去や角栓の除去を行なうために肌に当てると、弾性振動板は肌に対して叩くように振動するものである。
【特許文献１】特開平６−３２８０４２号公報
【発明の開示】
【発明が解決しようとする課題】
【０００５】
ところで、前記した従来例にあっては、弾性振動板が肌に対して叩く方向で振動するため、角質のみならず、角質層よりも内部の顆粒層、有棘層等まで振動が伝達され内部細胞にダメージを与える可能性があり、また、キール板、弾性振動板および超音波振動子を全て貼り合わせるものであることから、弾性振動板が折曲したり破損したような場合に、該弾性振動板のみの交換が行なえないといった問題があった。
【０００６】
本発明は前記した問題点を解決せんとするもので、その目的とするところは、ランジュバン型振動子を採用したので、肌に対して平行な方向から振動板を当てることで肌の内部細胞に対して大きな振動を与えることがなく、また、肌に当てる振動板の交換が可能であることから、振動板が曲がったり折損した場合に、振動板のみを交換することで長期の使用が可能な超音波美顔器を提供せんとするにある。
【課題を解決するための手段】
【０００７】
本発明の超音波美顔器は前記した目的を達成せんとするもので、請求項１の手段は、交流電圧を印加することで圧電素子が振動して振動板を振動させて肌の古い角質や毛孔内の角栓を除去する超音波美顔器であって、前記圧電素子は複数個が電極板を介して重ね合わされ、該圧電素子の前後に前打杆と後打杆を配置すると共に、該前後打杆を前記圧電素子を介してネジ止めして挟持固定し、前記前打杆をケースに対して弾性部材を介して取付けてケースの軸長方向に前後打杆を振動させるようにし、また、前記前打杆に振動板を取付けたものである。
【０００８】
請求項２の手段は、前記した請求項１において、前記振動板は前記前打杆に対して着脱自在に取付けられていることを特徴とし、また、請求項３の手段は、前記した請求項１において、前記振動板をチタンで形成したことを特徴とする。
【発明の効果】
【０００９】
本発明は前記したように、圧電素子は複数個が電極板を介して重ね合わされ、該圧電素子の前後に前打杆と後打杆を配置すると共に、該前後打杆を前記圧電素子を介してネジ止めして挟持固定し、前記前打杆をケースに対して弾性部材を介して取付けてケースの軸長方向に前後打杆を振動させるようにし、また、前記前打杆に振動板を取付けたことにより、振動板は肌に対して前後方向に振動するので、古い角質や毛孔に詰まっている角栓を効率よく除去でき、また、前後打杆と圧電素子をボルト締めしたランジュバン型振動子としたので、美顔器としての小型化が図れる。
【００１０】
また、振動板は前打杆に対して着脱自在に取付けたことにより、交換の必要性がある場合、振動板の交換が簡単に行なえ設備費の低減を図ることができ、さらに、振動板をチタンで形成したので、金属に対してアレルギー反応を示す肌に対しても対応することができる等の効果を有するものである。
【発明を実施するための最良の形態】
【００１１】
本発明は、ランジュバン型振動子を採用すると共に前打杆に振動板を交換可能に取付けた超音波美顔器である。
【実施例１】
【００１２】
以下、本発明に係る超音波美顔器の一実施例を図面と共に説明する。
１は樹脂等によって形成された２分割の把持用ケースにして、ネジ１１によって一体化されると共に内部にはスイッチ１２ａおよび発光ダイオード２ｂが取付けられた基板１２が内蔵されている。
【００１３】
また、前記スイッチ１２ａはプッシュ型のスイッチであり、操作杆には把持用ケースの周面から露出するようにキャップ１２ｃが嵌め込まれ、また、発光ダイオード２ｂには同じく周面に露出するレンズ１２ｄが嵌め込まれている。さらに、把持用ケース１の後端には、前記スイッチ１２ａを押した時の信号を後述するランジュバン型振動子７に対して交流電圧（例えば、５０ＫＨｚ）を印加するための制御手段（図示せず）に送出し、また、制御手段から交流電圧が出力されると前記発光ダイオード１２ｂを点灯させるための信号を送出するコード１３が接続されている。
【００１４】
なお、制御手段は、前記スイッチ１２ａを短時間（例えば、１秒以内）押すと、電源がオンとなって予め定めた古い角質の除去および角栓の除去に適した交流電圧をランジュバン型振動子７に印加し、この状態においてスイッチ１２ａを長押し（例えば、１秒以上）押すと、ランジュバン型振動子７への交流電圧を低くして印加し、スイッチ１２ａを短時間押すと電源がオフとする。また、前記交流電圧がランジュバン型振動子７に印加されている状態では発光ダイオード１２ｂが点灯するように回路が組まれている。
【００１５】
２は前記把持用ケース１における先端側拡開部１４の裏面側に嵌め込まれ、ネジ２１によって固定される樹脂等によって形成された前ケースにして、内周面には雌ねじ２２が形成され、該雌ねじ２２にリング状の止め輪３が螺合される。また、前ケース２に雌ねじ２２より後方にはリング状の突条２３が形成され、前記止め輪３と突条２３との間にはゴム等の弾性部材でなる振動子支持リング４が配置されている。この振動子支持リング４は止め輪３がねじ込まれる前記突条２３との間に挟持固定される。
【００１６】
５は前記前ケース２の外周部に嵌め込みによって固定されたゴム等の滑り止め機能を有する材料からなる滑り止め具にして、外周の数カ所に施術者の指先を添えるための凹部５１が形成されている。６は前記前ケース２の先端に同じく嵌め込みによって固定されたゴム等の弾性部材からなるキャップにして、頂部には後述する振動板８を挿通するための長孔６１が形成されている。
【００１７】
次に、ランジュバン型振動子７の構造について説明するに、前打杆７１と後打杆７２と、該前打杆７１と後打杆７２との間に挟持された複数個（図示のものは４個）の圧電素子７３とから構成されている。そして、前打杆７１あるいは後打杆７２の何れかにネジ棒が突出して形成され、他方にネジ孔が形成されネジ棒を圧電素子７３の中心に形成された孔を挿通しネジ孔に螺合することで、前記圧電素子７３は挟持固定される。また、前記圧電素子７３には交互にプラス電極板とマイナス電極板とが挟持されている。
【００１８】
また、前打杆７１にはリング状の突条７１ａが形成され、この突条７１ａが前記振動子支持リング４の内周に形成されているリング状の凹条４ａを嵌め込むことで、ランジュバン型振動子７は前ケース２内に収納固定される。しかも、前記止め輪３を前ケース２内で回転しネジ込むことで、振動子支持リング４は前ケース２内に強固に固定されるので、ランジュバン型振動子７も強固に前ケース２内に固定される。
【００１９】
８は先端が側面形において「へ」の字状に折曲されたへら状の振動板にして、基端部が前記前打杆７１の先端段部７１ｂに固定部材を介してネジ７１ｃによって着脱自在に取付けられている。なお、振動板８の材料としては、金属に対して敏感な肌質の人にも対応できるようにチタンを使用することが望ましい。
【００２０】
次に、前記した構成に基づいて動作を説明するに、施術者が被施術者の肌（例えば、顔）における古い角質を除去あるいは角栓を取り除くためにスイッチ１２ａを短時間押すと、制御手段の電源がオンとなって交流電圧をランジュバン型振動子７に供給すると共に発光ダイオード１２ｂに通電して電源が投入されていることを被施術者に知らせる。
【００２１】
前記交流電圧がランジュバン型振動子７の圧電素子７３に印加されると、圧電素子７３は軸長方向に振動を開始する。この圧電素子７３の前記振動によって前ケース２に対して弾性材料である振動子支持リング４を介して支持されている前打杆７１および後打杆７２が軸長方向（図において左右方向）に交流電圧の周波数で振動するので振動板８も同様に振動する。
【００２２】
この状態において振動板８の先端を被施術者の肌に押し当てると、振動板８が前後方向に振動するので、従来のような肌に対して上下方向に振動を加えて角質層より下の細胞に対してダメージを与えることなく、古い角質を剥ぎ取ると共に毛孔に詰まっている角栓を引き出して除去することができる。ここで、振動板８をチタンを使用すると、金属アレルギーの被施術者の肌に対してアレルギー反応を起こるのを防止できる。
【００２３】
なお、被施術者の肌状態において強い振動が不適当であると施術者が判断した場合や、被施術者が強い振動を嫌うような場合には、スイッチ１２ａを長押しすると低い電圧の交流電圧が制御手段から送出されるので、圧電素子７３の振動幅が小さくなって振動板８の振動幅が小さくなって、前記した問題を解決することができる。
【００２４】
そして、作業が終了したなら、スイッチ１２ａを短時間押すことで、制御手段よりの交流電圧の圧電素子７３への供給が停止されるので、振動板８の振動は停止すると共に発光ダイオード１２ｂも消灯状態となる。
【００２５】
なお、圧電素子７３を複数個電極板を介して重ねたのは、圧電素子７３の数に応じて振幅幅を大きくすることができるためである。また、本発明の超音波美顔器において交換を必要とする振動板、例えば、長期間使用し、あるいは、落としたしことで振動板が折れ曲がったり折損した場合には、キャップ６を前ケース２から外してネジ７１ｃを外すことで新規な振動板と交換することができるので、超音波振動子そのものを交換するよりも設備費用の低減が図れる。
【００２６】
また、前記した実施例にあっては、圧電素子７３を振動させる制御手段を外部に設けた場合について説明したが、多少は把持ケース１が大きくなるが、該把持ケース１内に制御手段を内蔵してもよい。
【図面の簡単な説明】
【００２７】
【図１】本発明に係る超音波美顔器の斜視図である。
【図２】同上の側面図である。
【図３】図１の平面図である。
【図４】同上のＡ−Ａ線断面図である。
【符号の説明】
【００２８】
１          把持ケース
２          前ケース
４          振動子支持リング
７          ランジュバン型振動子
７１        前打杆
７２        後打杆
７３        圧電素子
８          振動板
【図１】
2006238933.tif 000003
【図２】
2006238933.tif 000004
【図３】
2006238933.tif 000005
【図４】
2006238933.tif 000006